(57)【要約】【課題】  視聴者の状態に応じてテレビ等を制御する視聴者監視システムを提供する。【解決手段】  視聴者監視システム１０は、テレビ受像装置１２と、ＶＴＲ再生・記録装置１４と、動き監視用カメラ１６及びサーモグラフィ用カメラ１８を備える視聴者監視装置２０とを備えている。動き監視用カメラ１６は視聴者２２の動きを監視するための装置であり、サーモグラフィ用カメラ１８は視聴者２２の体温を検知するための装置である。動き監視用カメラ１６及びサーモグラフィ用カメラ１８は、視聴者２２がテレビ受像装置１２のモニタを見ることができる領域（視聴可能範囲）２４を監視できるように配置されている。視聴者監視装置２０は、動き監視用カメラ１６及びサーモグラフィ用カメラ１８から得られた視聴者２２の動きや体温に基づいて、視聴者２２の不在や居眠りを検知してテレビ受像装置１２及びＶＴＲ再生・記録装置１４を停止させたり、番組の録画を行わせたりするための装置である。【選択図】      図１
2006039294.tif 000002
【特許請求の範囲】
【請求項１】
画像又は音声を出力する出力手段と、
視聴者の体温を検知する体温検知手段と、
前記体温検知手段により、前記視聴者が前記出力手段で前記画像又は音声を視聴可能な視聴可能範囲内において前記視聴者の体温が検知されなかった場合、又は前記視聴者の体温が視聴開始時の体温よりも所定値以上低下したことが検知された場合に、前記出力手段を制御して前記画像又は音声の出力を停止させる制御手段と、
を備えることを特徴とする視聴者監視システム。
【請求項２】
前記制御手段は、前記画像又は音声の出力が停止された後、前記体温検知手段により、前記視聴者が前記出力手段で前記画像又は音声を視聴可能な視聴可能範囲内において前記視聴者の体温が検知された場合に、前記出力手段を制御して前記画像又は音声の出力を再開させることを特徴とする請求項１記載の視聴者監視システム。
【請求項３】
前記視聴者の動作を検知する動作検知手段を更に備え、
前記制御手段は、前記動作検知手段により検知された視聴者の動作量が所定値以下で、かつ前記体温検知手段により検知された視聴者の体温が所定値以下の場合に、前記出力手段を制御して前記画像又は音声の出力を停止させることを特徴とする請求項１又は２記載の視聴者監視システム。
【請求項４】
前記制御手段は、前記画像又は音声の出力が停止された後、前記動作検知手段により検知された視聴者の動作量が所定値以上、又は前記体温検知手段により検知された視聴者の体温が所定値以上となった場合に、前記出力手段を制御して前記画像又は音声の出力を再開させることを特徴とする請求項３記載の視聴者監視システム。
【請求項５】
放送局から番組を受信して表示する番組表示手段と、
視聴者の体温を検知する体温検知手段と、
前記番組を記録する記録手段と、
前記体温検知手段により、前記視聴者が前記番組表示手段で前記番組を視聴可能な視聴可能範囲内において前記視聴者の体温が検知されなかった場合、又は前記視聴者の体温が視聴開始時の体温よりも所定値以上低下したことが検知された場合に、前記記録手段を制御して前記番組の記録を開始させる制御手段と、
を備えることを特徴とする視聴者監視システム。
【請求項６】
前記制御手段は、前記記録手段により前記番組の記録が開始された後、前記体温検知手段により、前記視聴者が前記番組表示手段で前記番組を視聴可能な視聴可能範囲内において前記視聴者の体温が検知された場合に、前記記録手段を制御して前記番組の記録を停止させることを特徴とする請求項５記載の視聴者監視システム。
【請求項７】
前記視聴者の動作を検知する動作検知手段を更に備え、
前記制御手段は、前記動作検知手段により検知された視聴者の動作量が所定値以下で、かつ前記体温検知手段により検知された視聴者の体温が所定値以下の場合に、前記記録手段を制御して前記番組の記録を開始させることを特徴とする請求項５記載の視聴者監視システム。
【請求項８】
前記番組の放送時間情報を受信する放送時間情報受信手段を更に備え、
前記制御手段は、前記記録手段により前記番組の記録が開始された後、前記番組の放送時間情報に基づいて、前記番組の放送時間が終了したと判断した場合に、前記記録手段を制御して前記番組の記録を停止させることを特徴とする請求項５から７のいずれか１項記載の視聴者監視システム。
【発明の詳細な説明】
【技術分野】
【０００１】
本発明は視聴者監視システムに係り、特にテレビ番組やビデオ等を視聴する視聴者の状態を監視してテレビモニタ等の出力を制御する視聴者監視システムに関する。
【背景技術】
【０００２】
テレビ等の視聴中に視聴者が居眠りをしてしまった場合に、テレビがつけっぱなしになったり、番組を見逃したりすることがある。従来、視聴者が居眠りをしてしまった場合に、テレビを自動的に停止する技術が提案されている。例えば、特許文献１には、視聴者の覚醒状態を検出する覚醒度検出手段を備え、覚醒度検出手段が居眠り状態を出力したときに、映像表示手段や音声出力手段を停止させるとともに、映像、音声を記録させる表示システムについて開示されている。
【特許文献１】特開平９−３４４２４号公報
【発明の開示】
【発明が解決しようとする課題】
【０００３】
上記の特許文献１に開示された表示システムは、視聴者の顔面映像を撮影して視聴者の瞬目パターンを検出し、視聴者の閉眼時間に基づいて視聴者の居眠り状態や睡眠状態を判断するものであり、本発明とは構成を異にする。また、特許文献１に開示された表示システムによれば、居眠りをしたときに映像を記録することができるが、記録中に視聴者が戻ってきた場合に、記録を停止するかどうか不明であった。
【０００４】
本発明はこのような事情に鑑みてなされたもので、視聴者の状態に応じてテレビ等を制御する視聴者監視システムを提供することを目的とする。
【課題を解決するための手段】
【０００５】
上記目的を達成するために請求項１に係る視聴者監視システムは、画像又は音声を出力する出力手段と、視聴者の体温を検知する体温検知手段と、前記体温検知手段により、前記視聴者が前記出力手段で前記画像又は音声を視聴可能な視聴可能範囲内において前記視聴者の体温が検知されなかった場合、又は前記視聴者の体温が視聴開始時の体温よりも所定値以上低下したことが検知された場合に、前記出力手段を制御して前記画像又は音声の出力を停止させる制御手段とを備えることを特徴とする。
【０００６】
請求項１に係る視聴者監視システムによれば、視聴者が視聴可能範囲に居るかどうかを体温で検知することにより出力を制御できるため、テレビ等の出力手段が無駄に稼働するのを防ぐことができる。
【０００７】
請求項２に示すように請求項１に係る視聴者監視システムにおいて、前記制御手段は、前記画像又は音声の出力が停止された後、前記体温検知手段により、前記視聴者が前記出力手段で前記画像又は音声を視聴可能な視聴可能範囲内において前記視聴者の体温が検知された場合に、前記出力手段を制御して前記画像又は音声の出力を再開させることを特徴とする。
【０００８】
請求項２に係る視聴者監視システムによれば、視聴者が視聴可能範囲内に戻ってきたときに、自動的に画像や音声の出力を再開できるため便利である。
【０００９】
請求項３に示すように請求項１又は２に係る視聴者監視システムにおいて、前記視聴者の動作を検知する動作検知手段を更に備え、前記制御手段は、前記動作検知手段により検知された視聴者の動作量が所定値以下で、かつ前記体温検知手段により検知された視聴者の体温が所定値以下の場合に、前記出力手段を制御して前記画像又は音声の出力を停止させることを特徴とする。
【００１０】
請求項３に係る視聴者監視システムによれば、視聴者の動作量や体温に基づいて、視聴者の居眠り状態を検出して出力を制御できるため、テレビ等の出力手段が無駄に稼働するのを防ぐことができる。
【００１１】
請求項４に示すように請求項３に係る視聴者監視システムにおいて、前記制御手段は、前記画像又は音声の出力が停止された後、前記動作検知手段により検知された視聴者の動作量が所定値以上、又は前記体温検知手段により検知された視聴者の体温が所定値以上となった場合に、前記出力手段を制御して前記画像又は音声の出力を再開させることを特徴とする。
【００１２】
請求項４に係る視聴者監視システムによれば、視聴者が目覚めたときに、自動的に画像や音声の出力を再開できるため便利である。
【００１３】
請求項５に係る視聴者監視システムは、放送局から番組を受信して表示する番組表示手段と、視聴者の体温を検知する体温検知手段と、前記番組を記録する記録手段と、前記体温検知手段により、前記視聴者が前記番組表示手段で前記番組を視聴可能な視聴可能範囲内において前記視聴者の体温が検知されなかった場合、又は前記視聴者の体温が視聴開始時の体温よりも所定値以上低下したことが検知された場合に、前記記録手段を制御して前記番組の記録を開始させる制御手段とを備えることを特徴とする。
【００１４】
請求項５に係る視聴者監視システムによれば、視聴者が視聴可能範囲に居るかどうかを体温で検知して自動的に番組の録画や録音が行われるため、視聴者は番組を見逃すことがない。
【００１５】
請求項６に示すように請求項５に係る視聴者監視システムにおいて、前記制御手段は、前記記録手段により前記番組の記録が開始された後、前記体温検知手段により、前記視聴者が前記出力手段で画像又は音声を視聴可能な視聴可能範囲内において前記視聴者の体温が検知された場合に、前記記録手段を制御して前記番組の記録を停止させることを特徴とする。
【００１６】
請求項６に係る視聴者監視システムによれば、視聴者が視聴可能範囲内に戻ってきたときに、自動的に番組の記録を停止できるため便利である。
【００１７】
請求項７に示すように請求項５に係る視聴者監視システムにおいて、前記視聴者の動作を検知する動作検知手段を更に備え、前記制御手段は、前記動作検知手段により検知された視聴者の動作量が所定値以下で、かつ前記体温検知手段により検知された視聴者の体温が所定値以下の場合に、前記記録手段を制御して前記番組の記録を開始させることを特徴とする。
【００１８】
請求項７に係る視聴者監視システムによれば、視聴者の動作量や体温に基づいて、視聴者の居眠り状態を検出して自動的に番組の録画や録音が行われるため、視聴者は番組を見逃すことがない。
【００１９】
請求項８に示すように請求項５から７に係る視聴者監視システムにおいて、前記番組の放送時間情報を受信する放送時間情報受信手段を更に備え、前記制御手段は、前記記録手段により前記番組の記録が開始された後、前記番組の放送時間情報に基づいて、前記番組の放送時間が終了したと判断した場合に、前記記録手段を制御して前記番組の記録を停止させることを特徴とする。
【００２０】
請求項８に係る視聴者監視システムによれば、番組の放送終了時に自動的に番組の記録を停止できるため、記録手段（例えば、ＶＴＲ記録装置や録音装置）が無駄に稼働するのを防ぐことができる。
【発明の効果】
【００２１】
本発明によれば、視聴者が居眠りをしたり、席をはずした場合に、ＶＴＲ等の再生を停止することができるため、再生装置が無駄に稼働するのを防ぐことができる。また、自動的に番組の録画を行うことができるため、番組を見逃すことがない。さらに、番組の終了時に自動的に録音や録画が停止されるため、ＶＴＲ記録装置等が無駄に稼働するのを防ぐことができる。
【発明を実施するための最良の形態】
【００２２】
以下、添付図面に従って本発明に係る視聴者監視システムの好ましい実施の形態について説明する。図１は、本発明の一実施形態に係る視聴者監視システムを模式的に示す図である。
【００２３】
図１に示す視聴者監視システム１０は、テレビ受像装置１２と、ＶＴＲ再生・記録装置１４と、動き監視用カメラ１６及びサーモグラフィ用カメラ１８を備える視聴者監視装置２０とを備えている。
【００２４】
動き監視用カメラ１６は視聴者２２の動きを監視するための装置であり、サーモグラフィ用カメラ１８は視聴者２２の体温を検知するための装置である。動き監視用カメラ１６及びサーモグラフィ用カメラ１８は、視聴者２２がテレビ受像装置１２のモニタを見ることができる領域（視聴可能範囲）２４を監視できるように配置されている。
【００２５】
視聴者監視装置２０は、動き監視用カメラ１６及びサーモグラフィ用カメラ１８から得られた視聴者２２の動きや体温に基づいて、テレビ受像装置１２及びＶＴＲ再生・記録装置１４を制御するための装置である。
【００２６】
以下、視聴者２２の状態に応じてテレビ受像装置１２及びＶＴＲ再生・記録装置１４を制御する方法について、図２から図５を参照して説明する。図２は、テレビ視聴時に視聴者が居眠りをした場合のテレビ受像装置１２及びＶＴＲ再生・記録装置１４の制御方法を示すフローチャートである。
【００２７】
まず、視聴者監視装置２０により視聴者２２が視聴可能範囲２４内に居て起きているかどうか判断される（ステップＳ１０）。ステップＳ１０においては、例えば、視聴可能範囲２４内に視聴者２２の体温程度の領域が検知されるかどうか、その領域が人間程度の大きさかどうか、又は視聴可能範囲２４内において動きが検知されるかどうかにより、視聴者２２が視聴可能範囲２４内に居て起きているかが判断される。
【００２８】
ステップＳ１０において、視聴者２２が視聴可能範囲２４内に居て起きていると判断された場合、次いでステップＳ１２に進み、テレビ受像装置１２の電源がＯＮになっているかどうか判断される。ステップＳ１２においてテレビ受像装置１２の電源がＯＮである場合、視聴者監視装置２０により視聴者２２が番組を視聴していると判断され、視聴者２２の状態（動き及び体温）がチェックされる（ステップＳ１４）。
【００２９】
そして、視聴者監視装置２０により視聴者２２の動き量及び体温の監視が開始され（ステップＳ１６）、視聴者２２の動き量及び体温が基準値以下かどうか判断される（ステップＳ１８）。ステップＳ１８においては、例えば、動き量については視聴者２２が所定の時間以上静止しているかどうか、視聴者２２の体温についてはステップＳ１４でチェックされた体温（視聴開始時の体温）よりも所定値以上下がったかどうかにより、視聴者２２が居眠りをしているかどうかがが判断される。
【００３０】
ステップＳ１８において、視聴者２２の動き量及び体温が基準値より高く、視聴者２２が居眠りをしていないと判断された場合には、監視が継続される（ステップＳ１６）。一方、ステップＳ１８において、視聴者２２の動き量及び体温が基準値以下であり、視聴者２２が居眠りをしていると判断された場合には、視聴者監視装置２０によりＶＴＲ再生・記録装置１４が制御され、現在視聴中の番組のタイトル及び放送時間情報が取得されて（ステップＳ２０）、視聴中の番組の録画が開始される（ステップＳ２２）。なお、ステップＳ２０において、番組のタイトル及び放送時間情報としては、例えば、デジタル放送の電波に含まれている情報を用いることができる。また、ＶＴＲ再生・記録装置１４をインターネットに接続して、インターネットから電子番組表（ＥＤＧ）をダウンロードして、番組のタイトルや放送時間情報を取得するようにしてもよい。
【００３１】
そして、ステップＳ２０において取得された放送時間情報に基づいて、番組の放送終了時間になったと判断されると、視聴者監視装置２０からＶＴＲ再生・記録装置１４に録画の終了指示が与えられ、番組の録画が終了する（ステップＳ２４）。これにより、テレビ番組等の視聴中に視聴者が居眠りをした場合に、視聴者の居眠りを検知して番組を自動的に録画することができるため、番組を見逃すことがない。
【００３２】
図３は、ＶＴＲ視聴時に視聴者が居眠りをした場合のテレビ受像装置１２及びＶＴＲ再生・記録装置１４の制御方法を示すフローチャートである。
【００３３】
まず、視聴者監視装置２０により視聴者２２が視聴可能範囲２４内に居て起きているかどうか判断される（ステップＳ３０）。なお、ステップＳ３０における判断方法は、上記図２のステップＳ１０と同様であるため説明を省略する。
【００３４】
ステップＳ３０において、視聴者２２が視聴可能範囲２４内に居て起きている場合、次いでステップＳ３２に進み、ＶＴＲ再生・記録装置１４によりＶＴＲが再生中かどうか判断される。ステップＳ３２においてＶＴＲ再生・記録装置１４によりＶＴＲが再生中である場合、視聴者監視装置２０により視聴者２２がＶＴＲを視聴していると判断され、視聴者２２の状態（動き及び体温）がチェックされる（ステップＳ３４）。
【００３５】
その次に、視聴者監視装置２０により視聴者２２の動き量及び体温の監視が開始され（ステップＳ３６）、視聴者２２が視聴可能範囲２４内に居るかどうか判断される（ステップＳ３８）。ステップＳ３８において、視聴者２２が視聴可能範囲２４内に居ると判断された場合、視聴者監視装置２０により視聴者２２の動き量及び体温が基準値以下かどうか判断される（ステップＳ４０）。なお、ステップＳ４０における判断方法は、上記図２のステップＳ１８と同様であるため説明を省略する。
【００３６】
ステップＳ４０において、視聴者２２の動き量及び体温が基準値より高く、視聴者２２が居眠りをしていないと判断された場合には、監視が継続される（ステップＳ３８）。一方、ステップＳ４０において、視聴者２２の動き量及び体温が基準値以下であり、視聴者２２が居眠りをしていると判断された場合には、視聴者監視装置２０によりＶＴＲ再生・記録装置１４が制御され、現在視聴中のＶＴＲの再生が停止されるとともに（ステップＳ４２）、ＶＴＲの停止情報（例えば、ＶＴＲの再生が停止されたときに再生されていたトラックや、ＶＴＲの再生開始からの経過時間等の情報）が視聴者監視装置２０に記憶される（ステップＳ４４）。
【００３７】
そして、視聴者監視装置２０により各装置に電源ＯＦＦの指示が入力され、テレビ受像装置１２、ＶＴＲ再生・記録装置１４及び視聴者監視装置２０等の電源がＯＦＦになる（ステップＳ４６）。これにより、ＶＴＲの視聴中に視聴者が居眠りをした場合に、視聴者の居眠りを検知して自動的にＶＴＲの再生を停止することができる。
【００３８】
図４は、テレビ視聴時に視聴者が視聴可能範囲から出た場合のテレビ受像装置１２及びＶＴＲ再生・記録装置１４の制御方法を示すフローチャートである。
【００３９】
まず、視聴者監視装置２０により視聴者２２が視聴可能範囲２４内に居て起きているかどうか判断される（ステップＳ５０）。なお、ステップＳ５０における判断方法は、上記の例と同様であるため説明を省略する。
【００４０】
ステップＳ５０において、視聴者２２が視聴可能範囲２４内に居て起きている場合、次いでステップＳ５２に進み、テレビ受像装置１２の電源がＯＮになっているかどうか判断される。ステップＳ５２においてテレビ受像装置１２の電源がＯＮである場合、視聴者監視装置２０により視聴者２２が番組を視聴していると判断され、視聴者２２の状態（動き及び体温）がチェックされる（ステップＳ５４）。
【００４１】
そして、視聴者監視装置２０により視聴者２２の動き量及び体温の監視が開始され（ステップＳ５６）、視聴者２２が視聴可能範囲２４内に居るかどうか判断される（ステップＳ５８）。ステップＳ５８において、視聴者２２が視聴可能範囲２４内に居ると判断された場合には、監視が継続される（ステップＳ５６）。一方、ステップＳ５８において、視聴者２２が視聴可能範囲２４内に居ないと判断された場合には、視聴者監視装置２０によりＶＴＲ再生・記録装置１４が制御され、現在視聴中の番組のタイトル及び放送時間情報が取得され（ステップＳ６０）、視聴中の番組の録画が開始される（ステップＳ６２）。
【００４２】
なお、録画中にも、視聴者監視装置２０により視聴可能範囲２４内の動き量及び温度の監視は継続される。そして、視聴者監視装置２０により視聴者２２の動きや体温が検知されて、視聴者２２が視聴可能範囲２４内に戻ってきたと判断された場合（ステップＳ６４）、視聴者監視装置２０からＶＴＲ再生・記録装置１４に録画の停止指示が与えられ、番組の録画を停止する（ステップＳ６６）。
【００４３】
一方、録画中に視聴者監視装置２０により視聴者２２の動きや体温が検知されず、視聴者２２が視聴可能範囲２４内に戻っていないと判断された場合（ステップＳ６４）、録画が継続される。そして、ステップＳ６０において取得された放送時間情報に基づいて、番組の放送終了時間になったと判断されると（ステップＳ６８）、視聴者監視装置２０からＶＴＲ再生・記録装置１４に録画の終了指示が与えられ、番組の録画が終了する（ステップＳ７０）。これにより、テレビ番組等の視聴中に視聴者２２が席をはずした場合に、視聴者２２の不在を検知して番組を自動的に録画することができるため、番組を見逃すことがない。
【００４４】
なお、上述のステップＳ６６において、録画中に視聴者２２が視聴可能範囲２４内に戻ってきた場合に録画を終了するようにしたが、番組終了まで録画が継続されるようにしてもよい。
【００４５】
図５は、ＶＴＲ視聴時に視聴者が視聴可能範囲から出た場合のテレビ受像装置１２及びＶＴＲ再生・記録装置１４の制御方法を示すフローチャートである。
【００４６】
まず、視聴者監視装置２０により視聴者２２が視聴可能範囲２４内に居て起きているかどうか判断される（ステップＳ８０）。なお、ステップＳ８０における判断方法は、上記の例と同様であるため説明を省略する。
【００４７】
ステップＳ８０において、視聴者２２が視聴可能範囲２４内に居て起きていると判断された場合、次いでステップＳ８２に進み、ＶＴＲ再生・記録装置１４によりＶＴＲが再生中かどうか判断される。ステップＳ８２においてＶＴＲ再生・記録装置１４によりＶＴＲが再生中である場合、視聴者監視装置２０により視聴者２２がＶＴＲを視聴していると判断され、視聴者２２の状態（動き及び体温）がチェックされる（ステップＳ８４）。
【００４８】
その次に、視聴者監視装置２０により視聴者２２の動き量及び体温の監視が開始される（ステップＳ８６）。そして、視聴者監視装置２０により視聴者２２が視聴可能範囲２４内に居るかどうか判断される（ステップＳ８８）。なお、ステップＳ８８における判断方法は、上記の例と同様であるため説明を省略する。
【００４９】
ステップＳ８８において、視聴者２２が視聴可能範囲２４内に居ると判断された場合、監視が継続される（ステップＳ８６）。一方、ステップＳ８８において、視聴者２２が視聴可能範囲２４内に居ないと判断された場合には、ＶＴＲ再生・記録装置１４により現在視聴中のＶＴＲの再生が停止されるとともに（ステップＳ９０）、ＶＴＲの停止情報（例えば、ＶＴＲの再生が停止されたときに再生されていたトラックや、ＶＴＲの再生開始からの経過時間等の情報）が視聴者監視装置２０に記憶される（ステップＳ９２）。
【００５０】
なお、録画中にも、視聴者監視装置２０により視聴可能範囲２４内の動き量及び温度の監視は継続される。そして、視聴者監視装置２０により視聴者２２の動きや体温が検知されて、視聴者２２が視聴可能範囲２４内に戻ってきたと判断された場合（ステップＳ９４）、上記の停止情報に基づいて、再生停止時の場面からＶＴＲの再生が再開される（ステップＳ９６）。
【００５１】
一方、録画中に視聴者監視装置２０により視聴者２２の動きや体温が検知されず、視聴者２２が視聴可能範囲２４内に戻っていないと判断された場合（ステップＳ９４）、ＶＴＲの再生を終了する。これにより、ＶＴＲの視聴中に視聴者２２が席をはずした場合に、視聴者２２の不在を検知して自動的にＶＴＲの再生を停止することができる。
【００５２】
なお、上述のステップＳ９６において、ＶＴＲの再生停止中に視聴者２２が視聴可能範囲２４内に戻ってきた場合にＶＴＲの再生を再開するようにしたが、停止状態が維持されるようにしてもよい。
【００５３】
なお、本実施形態においては、視聴者監視装置２０によりテレビ受像装置１２及びＶＴＲ再生・記録装置１４を制御することとしたが、本発明はこれに限定されるものではない。例えば、ラジオと録音装置に本発明の視聴者監視装置２０を接続して、ラジオ番組の視聴時に視聴者が居眠りをしたときに視聴中の番組が自動的に録音されるようにすることができる。また、ＣＤやＭＤの再生装置に本発明の視聴者監視装置２０を接続して、再生時に視聴者が居眠りをした場合に、自動的に停止されるようにすることもできる。さらに、パーソナルコンピュータ等に本発明の視聴者監視装置２０を接続して、操作者が居眠りをしたときにデータを自動的に保存して、電源ＯＦＦを行わせることもできる。
【図面の簡単な説明】
【００５４】
【図１】本発明の一実施形態に係る視聴者監視システムを模式的に示す図
【図２】テレビ視聴時に視聴者が居眠りをした場合のテレビ受像装置１２及びＶＴＲ再生・記録装置１４の制御方法を示すフローチャート
【図３】ＶＴＲ視聴時に視聴者が居眠りをした場合のテレビ受像装置１２及びＶＴＲ再生・記録装置１４の制御方法を示すフローチャート
【図４】テレビ視聴時に視聴者が視聴可能範囲から出た場合のテレビ受像装置１２及びＶＴＲ再生・記録装置１４の制御方法を示すフローチャート
【図５】ＶＴＲ視聴時に視聴者が視聴可能範囲から出た場合のテレビ受像装置１２及びＶＴＲ再生・記録装置１４の制御方法を示すフローチャート
【符号の説明】
【００５５】
１０…視聴者監視システム、１２…テレビ受像装置、１４…ＶＴＲ再生・記録装置、１６…動き監視用カメラ、１８…サーモグラフィ用カメラ、２０…視聴者監視装置、２４…視聴可能範囲
【図１】
2006039294.tif 000003
【図２】
2006039294.tif 000004
【図３】
2006039294.tif 000005
【図４】
2006039294.tif 000006
【図５】
2006039294.tif 000007